(57)【要約】  トイレ１０はユーザにより選択可能な短いまたは長い水洗シーケンスのどちらかで動作可能な電子水洗装置組立体を有する。長い水洗シーケンスは、供給バルブ（５４）およびフラッシュバルブ（２６）の両方が２回、最初に事前ゆすぎサイクル中、続いてゆすぎサイクル中にそれぞれ１回開閉される、事前ゆすぎサイクルおよびゆすぎサイクルを含む。リム供給バルブおよびフラッシュバルブは、事前ゆすぎサイクル中およびゆすぎサイクル中に開放されるが、各サイクルの最初および最後に閉じられる。電子制御部（２８）はバルブおよび水供給制御構成部品の作動を制御する。液面センサ（４８、６６）もまた、例えば、オーバーフロー条件を防ぐために、コントローラにフィードバックを提供するために、含まれ得る。
2013510969.tif 000002
【特許請求の範囲】
【請求項１】
トイレであって：
便器出口とリム出口を有するリムとを有する便器と；
前記便器出口を通る流れを制御するように動作するフラッシュバルブと；
前記便器の前記リムへの流れを制御するように動作するリム供給バルブと；を有し、
前記トイレは、前記リム供給バルブおよび前記フラッシュバルブの両方が２回、最初は事前ゆすぎサイクル中、続いてゆすぎサイクル中に開閉される水洗シーケンス中に、前記便器を通って水を流し、前記リム供給バルブおよび前記フラッシュバルブは、前記サイクルの最初および最後に閉じられるとともに、前記サイクルの前記最初と前記最後との間に開く、
トイレ。
【請求項２】
前記ゆすぎサイクルは、前記便器に前記リム出口および放出器からゆすぎ水を流すことを含む、
請求項１に記載のトイレ。
【請求項３】
電子制御部をさらに含み、前記フラッシュバルブおよび前記リム供給バルブは、前記電子制御部により開閉するように操作される、
請求項１に記載のトイレ。
【請求項４】
前記電子制御部により操作可能な給水口を有する水供給リザーバをさらに含む、
請求項３に記載のトイレ。
【請求項５】
前記便器に取り付けられるとともに、便器液面入力信号を前記電子制御部に送るために前記電子制御部に連結される液面センサをさらに含む、
請求項４に記載のトイレ。
【請求項６】
前記水供給リザーバに取り付けられるとともに、リザーバ液面入力信号を前記電子制御部に送るために前記電子制御部に連結される供給水センサをさらに含む、
請求項５に記載のトイレ。
【請求項７】
トイレであって：
便器出口とリム出口を有するリムとを有する便器と；
前記便器出口を通る流れを制御するように動作するフラッシュバルブと；
前記便器の前記リムへの流れを制御するように動作するリム供給バルブと；を有し、
前記トイレは、第１および第２の水洗シーケンスで選択的に動作可能であり、
前記第１の水洗シーケンスは、前記トイレが前記リム供給バルブおよび前記フラッシュバルブを開閉することにより前記便器を通って水を流す事前ゆすぎサイクルを含み、
前記第２の水洗シーケンスは、前記リム供給バルブおよび前記フラッシュバルブの両方が２回、最初は前記事前ゆすぎサイクル中に、続いてゆすぎサイクル中に開閉される、前記事前ゆすぎサイクルおよび前記ゆすぎサイクルを含み、前記リム供給バルブおよび前記フラッシュバルブは、前記サイクルの最初および最後に閉じられるとともに、前記サイクルの前記最初と前記最後との間に開く、
トイレ。
【請求項８】
前記ゆすぎサイクルは、前記便器に前記リム出口および放出器からゆすぎ水を流すことを含む、
請求項７に記載のトイレ。
【請求項９】
電子制御部をさらに含み、前記フラッシュバルブおよび前記リム供給バルブは、前記電子制御部により開閉するように操作される、
請求項７に記載のトイレ。
【請求項１０】
前記電子制御部により操作可能な給水口を有する水供給リザーバをさらに含む、
請求項９に記載のトイレ。
【請求項１１】
前記便器に取り付けられるとともに、便器液面入力信号を前記電子制御部に送るために前記電子制御部に連結される液面センサをさらに含む、
請求項１０に記載のトイレ。
【請求項１２】
前記水供給リザーバに取り付けられるとともに、リザーバ液面入力信号を前記電子制御部に送るために前記電子制御部に連結される供給水センサをさらに含む、
請求項１１に記載のトイレ。
【請求項１３】
フラッシュバルブにより閉鎖可能な便器出口を持つ便器と、前記便器と連絡するリム出口を有するリムへの水の流れを制御するための供給バルブとを有するトイレのための水洗シーケンスであって：
水をリムに流すとともに前記リム出口を通って前記便器に水を通すために前記供給バルブを開くこと；
前記便器出口を通って前記便器を空にするために前記フラッシュバルブを開くこと；および、
前記フラッシュバルブを閉じること、を含む、
事前ゆすぎサイクルを開始することと；
水をリムに流すとともに前記リム出口を通って前記便器に水を通すために前記供給バルブを開くこと；
前記便器出口を通って前記便器を空にするために前記フラッシュバルブを開くこと；および、
前記供給バルブを閉じること；を含む、
ゆすぎサイクルを開始することと；を含む、
水洗シーケンス。
【請求項１４】
前記ゆすぎサイクルは、放出器を通って前記便器に水を通過させることをさらに含む、
請求項１３に記載の水洗シーケンス。
【請求項１５】
前記トイレは電子制御部を含み、前記フラッシュバルブおよび前記リム供給バルブは、前記電子制御部により開閉するように操作される、
請求項１３に記載の水洗シーケンス。
【請求項１６】
前記電子制御部により操作可能な給水口を有する水供給リザーバをさらに含む、
請求項１５に記載の水洗シーケンス。
【請求項１７】
前記便器に取り付けられるとともに、便器液面入力信号を前記電子制御部に送るために前記電子制御部に連結される液面センサをさらに含む、
請求項１６に記載の水洗シーケンス。
【請求項１８】
前記水供給リザーバに取り付けられるとともに、リザーバ液面入力信号を前記電子制御部に送るために前記電子制御部に連結される供給水センサをさらに含む、
請求項１７に記載の水洗シーケンス。
【発明の詳細な説明】
【技術分野】
【０００１】
（関連する出願の参照）
該当せず。
（連邦政府による資金提供を受けた研究開発の記載）
該当せず。
【０００２】
本発明は、トイレ等の衛生器具に関する。特に、本発明はトイレのための水洗装置組立体および水洗シーケンスに関する。
【背景技術】
【０００３】
従来のトイレは、便器から排泄物を排除し、便器をゆすぎ、および場合により水タンクを補充するために、単一の機械的な水洗シーケンスを利用する。重力によって動かされるフラッパバルブおよびフロートで制御された充填バルブ等、単純な機械的な構成部品が、便器を通る水の通過およびタンクの補充を制御するために通常使用される。このような単純な機械的な水洗装置組立体に対するトレードオフは、小さい排泄物の条件における無駄な水の消費量および大きい排泄物の条件における不適切なまたは調和の欠けている便器のゆすぎである。
【０００４】
長い時間をかけて、従来のトイレに多くの修正および改善がなされている。例えば、電子的に制御可能な水洗、ゆすぎ、および充填構成部品を持ついくつかのトイレが発明されている。例えば、特許文献１および２参照。これらの特許はまた、代替的な水洗シーケンスも開示している。そして、より強力なゆすぎ作用が特許文献３に開示されたようなジェット構成部品を使用することにより達成されている。しかし、これまでのところ従来のトイレの水洗制御構成部品およびシーケンスは、様々な排泄物の負荷条件において効率的かつ適切な水洗を達成するのにしばしば不十分である。
【先行技術文献】
【特許文献】
【０００５】
【特許文献１】米国特許第５，５４８，８５０号
【特許文献２】米国特許第６，３３２，２２９号
【特許文献３】米国特許第２，７１５，２２８号
【発明の概要】
【発明が解決しようとする課題】
【０００６】
したがって、既知のトイレの問題により良く対処するために、高度な水洗装置組立体およびシーケンスを持つトイレに対する需要がある。
【課題を解決するための手段】
【０００７】
１つの態様では、本発明は、便器出口およびリム出口を有するリムを持つ便器を有するトイレを提供する。フラッシュバルブは便器出口を通る流れを制御するように動作する。リム供給バルブは便器のリムへの流れを制御するように動作する。トイレは、リム供給バルブおよびフラッシュバルブの両方が２回、最初は事前ゆすぎサイクル中続いてゆすぎサイクル中に開閉される水洗シーケンス中に、便器を通って水を流す。リム供給バルブおよびフラッシュバルブは、サイクルの最初および最後に閉じられるとともにその間に開く。
【０００８】
他の態様では、本発明は、記載の通り第１および第２の水洗シーケンスで選択的に動作可能であるトイレを提供する。第１の水洗シーケンスは、トイレがリム供給バルブおよびフラッシュバルブを開閉することにより便器を通って水を流す事前ゆすぎサイクルを含む。第２の水洗シーケンスは、リム供給バルブおよびフラッシュバルブの両方が２回、最初は事前ゆすぎサイクル中続いてゆすぎサイクル中に開閉される、事前ゆすぎサイクルおよびゆすぎサイクルを含む。
【０００９】
さらに別の態様では、本発明は、事前ゆすぎサイクルを開始すること、続いて同じ水洗事象に対してゆすぎサイクルを開始することを含むトイレ用水洗シーケンスを提供する。事前ゆすぎサイクルは、水をリムに流すとともにリム出口を通って便器に水を通すために供給バルブを開くこと、便器出口を通って便器を空にするためにフラッシュバルブを開くこと、およびフラッシュバルブを閉じることを含む。ゆすぎサイクルは、水をリムに流すとともにリム出口を通って便器に水を通すために供給バルブを開くこと、便器出口を通って便器を空にするためにフラッシュバルブを開くこと、並びにフラッシュバルブおよび供給バルブを閉じることを含む。
【００１０】
水洗性能を向上させるために、水洗シーケンス、特にゆすぎサイクルは、ゆすぎ水の便器への流量を増やすための放出器を使用することをさらに含む。
【００１１】
加えて、トイレは、フラッシュおよびリム供給バルブの開閉作動を制御する電子制御部を含み得る。リム水供給部に加えて、電子制御部は、トイレタンク等、リザーバ水供給部の充填およびリザーバ水供給部からの出力流を制御することができる。そして、例えば便器および／または水供給リザーバに取り付けられた液面センサが、便器およびリザーバの液面入力信号を電子制御部に送るために、したがって両方の充填レベルを制御するために、電子制御部に連結され得る。
【００１２】
したがって、本発明は、向上した水洗を提供する高度な電子制御トイレを提供する。小さい排泄物の条件で水を節約するために、トイレは、便器が便器リムからの水により簡単にゆすがれる、迅速または短い水洗モードで動作され得る。大きい排泄物の条件に対して、ユーザは、便器が排泄物を空にするためにリムからの水で事前ゆすぎをされ、次に再びゆすがれ、この場合リムの水は放出器により補助され得る、長いまたは二重ゆすぎモードを選択することができる。これを行うために、電子制御部は、リム供給バルブおよび便器フラッシュバルブを、事前ゆすぎサイクル中に１度そして２回目を通常のゆすぎサイクル中に、開閉する。したがって、これらのバルブの完全な開放および閉鎖が単一の水洗事象中にある。さらに、電子制御およびセンシングが、水洗動作をさらに自動化するとともに調整するために提供され得る。
【００１３】
本発明の前述のおよびさらなる他の利点は以下の説明から明らかになるであろう。その説明では、本発明の一部を形成するとともに本発明の好適な実施形態の例として示される添付の図面が参照される。
【図面の簡単な説明】
【００１４】
【図１】図１は、蓋が下げられた本発明によるトイレの斜視図である。
【図２】図２は、蓋が上げられた図１のトイレの斜視図である。
【図３】図３は、仮想線で示された便器、トラップ通路および配管構成部品を持つトイレの側面図である。
【図４】図４は、図１の線４−４に沿ったトイレの断面側面図である。
【図５】図５は、図１の線５−５に沿ったトイレの断面側面図である。
【図６】図６は、図１のトイレの内部配管構成部品の一部の前面下部左側面視である。
【図７】図７は、図１のトイレの配管の簡略図である。
【図８】図８は、図１のトイレのための長い水洗シーケンスの工程図である。
【図９】図９は、図１のトイレのための短い水洗シーケンスの工程図である。
【発明を実施するための形態】
【００１５】
今、図１乃至５を参照すると、２つの水洗シーケンスを持つように構成されたトイレ１０が示される。水洗シーケンスの詳細は以下により詳細に記載されるが、トイレ１０の構成部品の概要およびそれらの接続性が水洗シーケンスのための構造的状況を与えるために最初に記載される。２つの部分のモジュール構造が示されているが、当然のことながら、トイレ１０はモジュール設計である必要はなく、より従来的なトイレ組立体であり得る。したがって、モジュール組立体は、以下の水洗シーケンスを利用し得るトイレの単なる１つの例である。
【００１６】
図１および２に最も良く見られるように、トイレ１０は前部便器部分１２および後部バックパック部分１４を含む。図示された実施形態では、トイレ１０は、一般的に言えば、バックパック部分１４がトイレ１０の多くの機能部品を支持するおよび／または収容する一方、便器部分１２が後部バックパック部分１４に接続されるように適合された幾つかの可能な前側取付部品の１つである、モジュール組立体であるように設計される。異なる前側取付部品が作られ得るので、トイレ１０は、単一の後部バックパック部分１４を使用して様々な外観を取り得る。さらに、後部バックパック部分１４は、例えば、ビデワンド、自動調節便座および／または蓋持上げ機構、音楽アクセサリー等、トイレに補助機能を提供する様々な構成部品を収容するように構成可能であり得る。
【００１７】
前部便器部分１２は、便器１６の上部の便器リム１８から便器１６の底部に近接する便器開口２０に延びる便器１６を含む。便器リム１８は、その後水洗シーケンス中に便器リム１８の下側の孔またはリム開口を経由して便器１６内に向けられ得る水を選択的に受入れる流路２２（図４に最も良く見られる）を含む。便器開口２０は、間に配置されたフラッシュバルブ２６によりトラップ通路２４と選択的に連絡する状態に置かれ得る。
【００１８】
フラッシュバルブ２６は、トイレ１０の後部バックパック部分１４内に配置された制御盤２８（例えば、コントローラまたは電気制御部、図７に概略的に示される）により電気機械的に制御される。この制御盤２８は、ベルトまたはチェーン等の結合３２を介してフラッシュバルブ２６に機械的に連結されるモータ３０に電気的に連結される。モータ３０が結合３２を駆動すると、フラッシュバルブ２６は開放位置から閉鎖位置にまたはその反対に駆動され得る。図３および４に示された閉鎖位置において、フラッシュバルブ２６の弓状の表面３４が、便器１６内に位置する如何なる水および排泄物の内容物も、実質的に便器１６内に保持されるように、便器１６の底部における便器開口２０の周りのシール（水封）を形成する。次に、開放位置（図示せず）において、例えば水洗動作中に、便器１６の内容物が便器１６からトラップ通路２４に進むように、フラッシュバルブ２６は便器１６とトラップ通路２４との間のシールを取り除くために閉鎖位置から回転可能に駆動される。回転可能なフラッシュバルブ２６が示されているが、他のタイプのバルブも、便器１６をトラップ通路２４と流体接続する状態に選択的に置くために使用され得る。
【００１９】
トラップ通路２４は、便器１６の下で後方に横向きのＳ字形状で便器開口２０から配水管（図示せず）または同様のものに接続する床の開口に接続するトラップ通路端部３６に蛇行する環状の通路である。トラップ通路２４の形状は、フラッシュバルブ２６に近接するトラップ通路２４の第１の脚３８はくぼみ４４へ下方に延び、トラップ通路２４の第２の脚４２はくぼみ４０から堰４４へ上方に延び、トラップ通路２４の第３の脚４６は堰４４から床の開口に接続するために下方に延びるようなものである。配水管から便器１６（およびトイレ１０の周囲の外気）への閉じ込められた下水ガスの漏れを防ぐために、水がトラップ通路２４内の水封を形成するようにくぼみ４０と堰４４との間の空間に捕らえられ得る。
【００２０】
（図７に概略的に示された）水位センサ４８もまた、便器１６内の水の水位を検出するために便器１６に連結され得る。水位センサ４８は、信号を介して便器１６内の水の現在の状態（例えば便器１６の水位等）を示すために、制御盤２８に電子的に連結され得る。水位センサ４８は、便器１６内の水位検出するためにおよび、水洗シーケンス中の充填ステップ中、またはトラップ通路２４または同様のものの詰まりが水の便器１６を空にすることを妨げる場合に、便器１６への水の供給を停止するために、利用され得る。
【００２１】
今、図５、６および７を追加的に参照すると、後部バックパック部分１４は、水洗シーケンスを実行するのに利用される配管を支持するとともに収容する。シーケンスの最初、（図７に概略的に示された）水供給部５０は他の配管構成部品に水を供給する。水供給部５０は、トイレの後部バックパック部分１４の後ろから来る供給側配管５２を介してトイレ１０に接続される。供給側配管５２はソレノイドバルブ５４に接続される。ソレノイドバルブ５４は、タンク充填配管５８（ずなわち、給水口）を介してタンク５６とまたはリム配管６０を介して便器リム１８と流体接続する状態に供給側配管５２を選択的に置くために、制御盤２８により電子的に制御され得る。リム配管６０は、リム配管６０の端部６８においてスパッド接続または同様のものを介して便器リム１８と流体接続する状態に置かれる。図３乃至６には単一のソレノイドバルブ５４が示されているが、別々のリム供給バルブ５４ａおよび充填バルブ５４ｂもまた図７に概略的に示されるように使用され得る。
【００２２】
特に、タンク５６（または水供給リザーバ）もまた、放出器６４を形成するためにリム配管６０に接続する放出器配管６２を介して、リム配管６０と連絡する状態に置かれる。この放出器６４は、タンク５６からの水がリム配管６０を介して供給される水を補うとき、リム１８への水の特に強力な流れを提供する補助をする。
【００２３】
加えて、フロートスイッチ６６がタンク５６内に配置され得る。タンク５６内の水位が予め決定された閾値を超えたとき、典型的にはフロートスイッチ６６の一部がタンク５内で上昇することをもたらし、フロートスイッチ６６の一部のこの変位は、（場合により、フロートスイッチ６６と遮断バルブとの間の直接の機械的接続により、または電気的な信号を遮断バルブを操作する制御盤２８に送信することにより）他の配管構成部品からの水供給部５０を一時的に遮断する遮断バルブの閉鎖をもたらし得る。
【００２４】
制御盤２８の様々な構成部品への接続性の概要は、図７が参照され得る。便器１６に関して、制御盤２８は、水位センサ４８およびフラッシュバルブ２６の開放または閉鎖状態を制御するモータ３０に電気的に連結され得る。後部バックパック部分１４の配管構成部品に関して、制御盤２８は、水供給部５０からタンク５６およびリム１８への水の流れを制御するソレノイドバルブ５４（図７では別々のリム供給バルブ５４ａおよび充填バルブ５４ｂとして示される）に電気的に連結され得る。さらに、制御盤２８は、フロートスイッチ６６を介してタンク５６内の水位の状態を受信し得る。前述されていないが、制御盤２８はまた、短い水洗ボタン７０および長い水洗ボタン７２にも電気的に連結される。もちろん、ボタンではなく、これらは任意の多くのタイプの制御装置、スイッチ、ボタン、または同様のものであり得る。短い水洗ボタン７０および長い水洗ボタン７２は、これから説明される短い水洗シーケンスまたは長い水洗シーケンスを開始するために使用され得る。
【００２５】
今図８を参照すると、長い水洗シーケンス８００が示されている。長い水洗シーケンス８００は、ステップ８０２にしたがって長い水洗ボタン７２が押されたときに開始される。いったん、制御盤２８が長い水洗ボタン７２の操作を検出すると、制御盤２８は、事前ゆすぎ、ゆすぎ、および便器１６の充填を実行するために、様々な構成部品に指示する。
【００２６】
事前ゆすぎサイクルは、便器１６を事前ゆすぎするためにステップ８０４にしたがって、制御盤２８がリム供給バルブ５４ａを開き次に閉じるように指示することから始まる。事前ゆすぎサイクルは、水充填ラインの上で便器１６の壁に張り付いたトイレットペーパ等のゴミを取り除き得る。わずかな量の水が便器１６の事前ゆすぎを行うために使用され得る。
【００２７】
次に、ステップ８０６にしたがって、フラッシュバルブ２６が便器１６から排泄物を除去するために開放される一方、リム供給バルブ５４ａは閉じたままにされる。これは、便器１６から排泄物を除去する短い、水の効率的なステップである。フラッシュバルブ２６は次に、ステップ８０８にしたがって、便器１６の便器開口２０をシールするために閉じられる。
【００２８】
いったん事前ゆすぎサイクルが完了すると、ゆすぎサイクルが始まる。フラッシュバルブ２６が閉じた後、リム供給バルブ５４ａがステップ８１０にしたがって便器ゆすぎサイクルを開始するために開かれる。十分な量の水が便器１６に導入された後、フラッシュバルブ２６は、ステップ８１２にしたがって、ゆすぎサイクル中に溜まった水を便器１６から排出するために、開放される。フラッシュバルブ２６が開放される間、水は便器１６をゆすぐためにリム１８に供給され続け得る。一定時間後、フラッシュバルブ２６は、ステップ８１４にしたがって、便器１６をシールするために閉じられるとともに、リム供給バルブ５４ａは、ステップ８１６にしたがって、便器ゆすぎサイクルを終了するために閉じられる。
【００２９】
特に、事前ゆすぎサイクルまたはゆすぎサイクル中に、リム供給バルブ５４ａが開放されるとともにリム配管６０を介して水をリム１８に供給する間、水がリム１８に供給される放出器６４が量を増やすために使われ得る。タンク５６からリム配管６０に放出器配管６２を経由して導入される水が便器リム１８へのゆすぎ水の流量を増加すると、水はより速くかつ便器１６をより効果的かつ効率的にゆすぐような方法で供給される。より大きな流量において、より良い便器ゆすぎがより速くかつ放出器無しの水洗機構より少ない水で行われ得る。
【００３０】
便器ゆすぎサイクルが完了した後、次に充填サイクルがトイレ１０の別の使用のために便器１６を充填し始める。充填サイクル中、充填バルブ５４ｂは、ステップ８１８にしたがって、（事前ゆすぎおよびゆすぎサイクル忠に部分的にまたは完全に使い果たされ得る）水タンク５６に水を供給するとともに便器１６に再充填するために、開かれ、次に閉じられる。充填バルブ５４ｂは便器１６およびタンク５６が再充填されるまで開放されたままにされる。便器１６およびタンク５６内の水位の決定は、水位センサ４８およびフロートスイッチ６６によりそれぞれ決定され得る。もちろん、便器を再充填するための停止条件は、水位センサ４８およびフロートスイッチ６６の一方または両方に潜在的に基づき得る、または他のセンサまたはタイミング機構に基づき得る。
【００３１】
当然のことながら、充填サイクル中、リム供給バルブ５４ａは閉じられ得るので、便器１６への水の流量は事前ゆすぎおよび／またはゆすぎサイクル中より比較的ゆっくりであり得る。もちろん、特定の配管構造に応じて、便器再充填は、追加的な便器充填バルブを使用することにより、またはリム供給バルブ５４ａを単体でまたは充填バルブ５４ｂと組み合わせて使用することにより、達成され得る。
【００３２】
今、図９を参照すると、一般的に、尿または恐らく少量のトイレットペーパ等、軽微なあるいは小さい排泄物の便器１６からの排除のために使用され得る短い水洗シーケンス９００が示される。ステップ９０２にしたがって短い水洗ボタン７０を押すと、短い水洗シーケンス９００が開始される。最初に、ステップ９０４にしたがって、１ショットの水をリム１８に供給するとともに便器１６の壁からいかなる排泄物またはごみも片付けるためにリム供給バルブ５４ａが開かれ、次に閉じられる、事前ゆすぎサイクルが生じる。次に、フラッシュバルブ２６が、ステップ９０６にしたがって、便器１６からトラップ通路２４を経由して水および排泄物を除去するために開放される。水および排泄物が便器１６から除去された後、フラッシュバルブ２６はステップ９０８にしたがって閉じられる。充填バルブ５４ｂは次に、ステップ９１０にしたがって便器１６およびタンク５６に水を再充填するために開閉される。もちろん、上述のように、再充填ステップは、充填部バルブ５４ｂを開放することによりまたはタンク５６および便器１６を充填するように１つまたは複数の他のバルブを開放することにより達成され得る。
【００３３】
したがって、２つの水洗シーケンスを実行することができるトイレが開示される。２つの水洗シーケンスの長い方は、固形排泄物または同様なものの便器からの排除に対して設計される。２つの水洗シーケンスの短い方は、軽い排泄物または同様なものの便器からの排除に対して設計される。節水の利点が与えられるので、これらの水洗シーケンスは、目前の作業のために適切な量の水を使用することを目標としている。
【００３４】
さらに、これらの水洗シーケンスは、水洗シーケンスのより効率的な水の使用に役立つ事前ゆすぎサイクルを利用し得る。水が連続的に便器にリムを介して供給される一方、水が便器開口から絶えず流出する、従来の水洗サイクルとは対照的に、リム供給バルブ５４ａは、壁を事前ゆすぎするための水の最初のショットを提供するために開閉され、次に便器が空にされた後に再び開放され得る。事前ゆすぎサイクルと後続のゆすぎサイクルの間でリム供給バルブを閉めることにより、水洗サイクルで使用される水の量が減らされる。
【００３５】
本発明の特定の実施形態が示されているが、本発明の広さおよび範囲内に含まれる様々な変更が当業者に明らかである。例えば、１つまたは複数のジェットが便器から水および排泄物を取り除くのに役立ち得る。したがって、本発明の全範囲を理解するために、以下の特許請求の範囲を頼るべきである。
【産業上の利用可能性】
【００３６】
便器の適切なゆすぎを伴う効率的な水の消費を提供する高度な水洗制御装置組立体およびシーケンスを有するトイレ等、衛生器具が開示される。
【図１】
2013510969.tif 000003
【図２】
2013510969.tif 000004
【図３】
2013510969.tif 000005
【図４】
2013510969.tif 000006
【図５】
2013510969.tif 000007
【図６】
2013510969.tif 000008
【図７】
2013510969.tif 000009
【図８】
2013510969.tif 000010
【図９】
2013510969.tif 000011
【国際調査報告】
2013510969.tif 000012
2013510969.tif 000013
2013510969.tif 000014